(57)【特許請求の範囲】
【請求項１】
情報提供者からの情報が入力される入力手段と、前記入力された情報から前記情報提供者を示す提供者情報を抽出する抽出手段と、前記提供者情報と提供内容とを出力する出力手段とを備え、前記抽出手段は、前記提供内容を生成した情報提供者を示す第１次提供者情報と、前記提供内容を利用者に配布する情報提供者を示す第２次提供者情報とを抽出し、前記出力手段は、前記第１次提供者情報と前記第２次提供者情報とを出力することを特徴とする情報提示装置。
【請求項２】
前記情報提供者からの前記提供内容より前に前記提供者情報を配置する編集手段を備え、前記出力手段は、前記提供者情報を前記提供内容より先に出力することを特徴とする請求項１に記載の情報提示装置。
【請求項３】
前記抽出手段は、前記入力された情報から時刻情報を抽出し、前記出力手段は、前記時刻情報を出力することを特徴とする請求項１または請求項２に記載の情報提示装置。
【請求項４】
前記入力手段を複数種類有し、前記入力手段を選択する選択手段を備えたことを特徴とする請求項１ないし請求項３のいずれかに記載の情報提示装置。
【請求項５】
同じ検索条件に合致する情報を繰り返し検索する検索手段と、検索された情報が更新されていることを検出する情報更新検出手段とを備え、前記出力手段は、情報が更新されたときに情報を出力することを特徴とする請求項１ないし請求項４のいずれかに記載の情報提示装置。
【請求項６】
少なくとも現在位置、進行方向、および、目的位置のいずれかに関係した情報を検索する検索手段を備え、前記出力手段は、少なくとも現在位置、進行方向、および、目的位置のいずれかに対応した情報を出力することを特徴とする請求項１ないし請求項５のいずれかに記載の情報提示装置。
【請求項７】
前記提供者情報が画像であったとき、前記画像を文字情報に変換する編集手段を備えたことを特徴とする請求項１ないし請求項６のいずれかに記載の情報提示装置。
【請求項８】
少なくとも音楽および映像のいずれかが再生中であるか否かを判定し、再生が停止しているときに前記情報を出力すると判定する出力時機判定手段を備えたことを特徴とする請求項１ないし請求項７のいずれかに記載の情報提示装置。
【請求項９】
本情報提示装置が載置された移動体の速さがほぼ一定であるか否かを判定し、前記速さがほぼ一定のときに前記情報を出力すると判定する出力時機判定手段を備えたことを特徴とする請求項１ないし請求項７のいずれかに記載の情報提示装置。
【請求項１０】
本情報提示装置が載置された移動体の進行方向が切り換わるか否かを判定し、進行方向が切り換わるときに前記情報の出力を停止すると判定する出力時機判定手段を備えたことを特徴とする請求項１ないし請求項７のいずれかに記載の情報提示装置。
【請求項１１】
利用者が会話中であるか否かを判定し、会話が停止しているときに前記情報を出力すると判定する出力時機判定手段を備えたことを特徴とする請求項１ないし請求項７のいずれかに記載の情報提示装置。
【請求項１２】
予め入力された前記情報提供者の優先順位に基づいて前記情報の出力順序を変更する出力順序変更手段を備えたことを特徴とする請求項１ないし請求項１１のいずれかに記載の情報提示装置。
【請求項１３】
複数の前記情報提供者からの前記情報の出力順序を変更する出力順序変更手段を備え、前記抽出手段は、予め記憶されたキーワードを複数の前記情報から検出し、前記出力順序変更手段は、同じキーワードが検出された数が多い順に前記情報の出力順序を変更することを特徴とする請求項１ないし請求項１１のいずれかに記載の情報提示装置。
【発明の詳細な説明】
【０００１】
【発明の属する技術分野】
本発明は、利用者に情報を提示する情報提示装置に関し、特に、利用者が情報の信頼性を確認することができる情報提示装置に関する。
【０００２】
【従来の技術】
従来、情報提示装置は、情報提供者からの情報を、視覚または聴覚によって利用者が認識できる情報に変換し、利用者に提供するようになっていた。
【０００３】
例えば、特開平９−４４１８９号公報に記載されたものは、無線で受信したテキストについて、予め利用者が指定したキーワードに関係する部分のみを音声に変換し出力するようになっていた。
【０００４】
【発明が解決しようとする課題】
しかしながら、このような従来の情報提示装置では、単にキーワードが存在する情報を検索して出力するのみであるため、利用者は、情報の信頼性を十分に確認することができないという問題があった。
【０００５】
また、利用者は、情報提供者を先に確認することができず、必要な提供内容のみを容易に選択することができないという問題があった。
【０００６】
また、利用者は、第１次情報提供者または第２次情報提供者を容易に判別することができず、情報の信頼性を容易に確認することができないという問題があった。
【０００７】
また、利用者は、必要とする情報のみを得ることができず、必要な情報が不必要な情報に埋もれてしまうという問題があった。
【０００８】
また、利用者は、情報に画像が含まれているとき、情報を耳から得ることができないという問題があった。
【０００９】
また、利用者は、音楽や映像を楽しんでいる時に提示情報が出力されてしまった場合、音楽や映像の楽しみが中断されてしまうという問題があった。
【００１０】
また、利用者は、運転に注意すべき時に提示情報が出力されてしまった場合、提示情報に注意を奪われるという問題があった。
【００１１】
また、利用者は、同乗者と会話を楽しんでいる時に提示情報が出力されてしまった場合、会話の楽しみが中断されてしまうという問題があった。
【００１２】
また、利用者は、必要性が高い順に情報を得ることができないという問題があった。
【００１３】
また、利用者は、信頼性が高い順に提示情報を得ることができないという問題があった。
【００１４】
本発明はこのような問題を解決するためになされたもので、利用者が情報の信頼性を確認することができる情報提示装置を提供する。
【００１５】
【課題を解決するための手段】
本発明の情報提示装置は、情報提供者からの情報が入力される入力手段と、前記入力された情報から前記情報提供者を示す提供者情報を抽出する抽出手段と、前記提供者情報と提供内容とを出力する出力手段とを備え、前記抽出手段は、前記提供内容を生成した情報提供者を示す第１次提供者情報と、前記提供内容を利用者に配布する情報提供者を示す第２次提供者情報とを抽出し、前記出力手段は、前記第１次提供者情報と前記第２次提供者情報とを出力する構成を有している。
【００１６】
この構成により、利用者は、提供者情報を容易に確認することができるとともに、第１次情報提供者または第２次情報提供者を区別して情報の信頼性を確認することができる。
【００１７】
本発明の情報提示装置は、前記情報提供者からの前記提供内容より前に前記提供者情報を配置する編集手段を備え、前記出力手段は、前記提供者情報を前記提供内容より先に出力する構成を有している。
【００１８】
この構成により、利用者は、提供者情報を先に確認し、必要な提供内容のみを容易に選択することができる。
【００２１】
本発明の情報提示装置は、前記抽出手段は、前記入力された情報から時刻情報を抽出し、前記出力手段は、前記時刻情報を出力する構成を有している。
【００２２】
この構成により、利用者は、時刻情報によって情報の信頼性を確認することができる。
【００２３】
本発明の情報提示装置は、前記入力手段を複数種類有し、前記入力手段を選択する選択手段を備えた構成を有している。
【００２４】
この構成により、通信料等の料金を必要とする入力手段を回避し、料金を払わないで必要な情報を得るようにすることができる。
【００２５】
本発明の情報提示装置は、同じ検索条件に合致する情報を繰り返し検索する検索手段と、検索された情報が更新されていることを検出する情報更新検出手段とを備え、前記出力手段は、情報が更新されたときに情報を出力する構成を有している。
【００２６】
この構成により、利用者は更新された情報のみ取得することができる。
【００２７】
本発明の情報提示装置は、少なくとも現在位置、進行方向、および、目的位置のいずれかに関係した情報を検索する検索手段を備え、前記出力手段は、少なくとも現在位置、進行方向、および、目的位置のいずれかに対応した情報を出力する構成を有している。
【００２８】
この構成により、利用者は、現在必要とする情報のみを得ることができる。
【００２９】
本発明の情報提示装置は、前記提供者情報が画像であったとき、前記画像を文字情報に変換する編集手段を備えた構成を有している。
【００３０】
この構成により、利用者は、提供者情報が画像であっても提供者を確認することができる。
【００３１】
本発明の情報提示装置は、少なくとも音楽および映像のいずれかが再生中であるか否かを判定し、再生が停止しているときに前記情報を出力すると判定する出力時機判定手段を備えた構成を有している。
【００３２】
この構成により、利用者は、音楽や映像を楽しんでいるときは音楽や映像を楽しみ、音楽や映像を楽しんでいないときに情報を得ることができる。
【００３３】
本発明の情報提示装置は、本情報提示装置が載置された移動体の速さがほぼ一定であるか否かを判定し、前記速さがほぼ一定のときに前記情報を出力すると判定する出力時機判定手段を備えた構成を有している。
【００３４】
この構成により、利用者は、運転に注意すべき時に提示情報に注意を奪われることがないようにすることができる。
【００３５】
本発明の情報提示装置は、本情報提示装置が載置された移動体の進行方向が切り換わるか否かを判定し、進行方向が切り換わるときに前記情報の出力を停止すると判定する出力時機判定手段を備えた構成を有している。
【００３６】
この構成により、利用者は、運転に注意すべき時に提示情報に注意を奪われることがないようにすることができる。
【００３７】
本発明の情報提示装置は、利用者が会話中であるか否かを判定し、会話が停止しているときに前記情報を出力すると判定する出力時機判定手段を備えた構成を有している。
【００３８】
この構成により、利用者は、同乗者と会話を楽しんでいるときは会話を楽しみ、会話をしていないときに情報を得ることができる。
【００３９】
本発明の情報提示装置は、予め入力された前記情報提供者の優先順位に基づいて前記情報の出力順序を変更する出力順序変更手段を備えた構成を有している。
【００４０】
この構成により、利用者は、必要性が高い順に情報を得ることができる。
【００４１】
本発明の情報提示装置は、複数の前記情報提供者からの前記情報の出力順序を変更する出力順序変更手段を備え、前記抽出手段は、予め記憶されたキーワードを複数の前記情報から検出し、前記出力順序変更手段は、同じキーワードが検出された数が多い順に前記情報の出力順序を変更する構成を有している。
【００４２】
この構成により、利用者は、信頼性が高い順に提示情報を聴くことができる。
【００４３】
【発明の実施の形態】
以下、本発明の実施の形態について、図面を用いて説明する。
【００４４】
（第１の実施の形態）
図１は本発明に係る情報提示装置の第１の実施の形態を示すブロック図である。図１において、情報提示装置１０１は、放送受信手段１１（第１の入力手段）と、ネットワークインタフェース１２（第２の入力手段）と、データベースインタフェース１３（第３の入力手段）と、操作手段１４（検索条件入力手段、優先順位入力手段、抽出条件入力手段）と、記憶手段１５と、音声出力手段（出力手段）１６と、制御手段２０１とを備える。
【００４５】
放送受信手段１１は、アンテナ６１に接続され、文字情報を含む文字多重放送を受信し、放送によって情報を提供する情報提供者から、情報を取得する。ネットワークインタフェース１２は、移動通信網等を介してインターネット６２と接続され、ネットワークを介して情報を提供する情報提供者から、情報を取得する。データベースインタフェース１３は、ＤＶＤ（Digital Versatile Disk）等のデータベース６３にアクセスし、データベースを介して情報を提供する情報提供者から、情報を取得する。操作手段１４は、キーやマイク等からなり、検索条件の入力、利用者に提示する情報の優先順位の入力、提供内容の中から注目する項目を抽出するための抽出条件の入力、情報の出力の開始指示、情報の出力の停止指示、その他の情報提示に関する利用者からの条件および指示の入力を受け付ける。記憶手段１５は、メモリまたはディスクからなり、情報提示に関する情報を記憶する。音声出力手段（出力手段）１６は、スピーカからなり、音声を出力する。制御手段２０１は、マイクロコンピュータからなり、情報提示に関する制御を行う。
【００４６】
また、情報提示装置１０１は、音楽を再生する音楽再生手段５１と、利用者が会話中であるか否かを検出する会話中検出手段５２と、情報提示装置１０１が載置された車両の現在位置を検出する位置検出手段５３と、情報提示装置１０１が載置された車両の進行方向を検出する方位検出手段５４と、情報提示装置１０１が載置された車両の車速を検出する車速検出手段５５とに接続されている。
【００４７】
また、制御手段２０１は、選択手段２１と、検索手段２２と、抽出手段２３と、テキスト合成手段２４（編集手段）と、音声合成手段２５と、出力順序変更手段２６と、出力時機判定手段２７とを有する。
【００４８】
選択手段２１は、放送受信手段１１、ネットワークインタフェース１２、および、データベースインタフェース１３のいずれかの選択、すなわち、情報提供者からの情報（以下、入力情報という）が入力される入力手段の選択を行う。
【００４９】
検索手段２２は、放送受信手段１１、ネットワークインタフェース１２、および、データベースインタフェース１３によって入力された入力情報から、利用者が必要とする情報を検索する。具体的には、検索手段２２は、例えば、操作手段１４によって利用者が入力した検索条件に合致する入力情報を検索する。また、例えば、位置検出手段５３によって検出された位置情報、方位検出手段５４によって検出された方位情報、および、車速検出手段５５によって検出された車速情報に基づいて、現在位置に関係する入力情報、進行方向に関係する入力情報、現在時刻から一定の時間内に関係する入力情報、その他の利用者が現在必要とする入力情報を検索する。また、例えば、操作手段１４によって利用者が入力した目的位置や目的位置に至る経路に基づいて、目的位置や目的位置に至る経路に関係する入力情報を検索する。
【００５０】
抽出手段２３は、検索手段２２によって検索された入力情報から、情報提供者を示す提供者情報、時刻情報、および、提供内容を抽出する。図２は第１の実施の形態の情報提示装置１０１における抽出手段２３の詳細を示すブロック図である。図２において、抽出手段２３は、提供者情報を抽出する提供者情報抽出手段２３１と、時刻情報を抽出する時刻情報抽出手段２３２と、提供内容を抽出する提供内容抽出手段２３３と、画像を判別する画像判別手段２３４とを有する。なお、提供者情報抽出手段２３１は、提供内容を生成した情報提供者を示す第１次提供者情報と、提供内容を利用者に配布する情報提供者を示す第２次提供者情報とを区別して抽出する。また、画像判別手段２３４は、画像を抽出する画像抽出手段２３４１と、画像の高さおよび幅を一定の高さおよび幅に正規化する画像正規化手段２３４２と、画像の色を明度に変換して色を除去する色除去手段２３４３と、正規化され色が除去された画像を記憶手段１５に予め記憶した画像と比較する画像比較手段２３４４とを有する。
【００５１】
なお、第１次提供者とは、例えば天気情報等の提供内容を生成した情報提供者である。また、第２次提供者とは、例えば天気情報等の提供内容を利用者に配布する放送事業者やスポンサ等の情報提供者である。
【００５２】
また、抽出手段２３は、例えば、操作手段１４によって利用者が入力した抽出条件に合致する提供内容を抽出する。また、例えば、位置検出手段５３によって検出された位置情報、方位検出手段５４によって検出された方位情報、および、車速検出手段５５によって検出された車速情報に基づいて、現在位置に関係する提供内容、進行方向に関係する提供内容、現在時刻から一定の時間内に関係する提供内容、その他の利用者が現在必要とする提供内容を抽出する。また、例えば、操作手段１４によって利用者が入力した目的位置に関係する入力情報や、目的位置に至る経路に関係する入力情報を抽出する。
【００５３】
テキスト合成手段２４は、利用者に提示する情報（以下、提示情報という）をテキストで生成する。具体的には、抽出手段２３によって抽出された、提供者情報、時刻情報、および、提供内容を区別して、利用者への提示情報を生成する。また、記憶手段１５に予め記憶された画像と一致する画像が抽出手段２３によって検出されたとき、画像をテキストに変換する。なお、抽出した提供者情報および時刻情報を提供内容より前に配置する。
【００５４】
なお、情報提供者からの提供内容を利用者が必要とする部分のみに編集すると好ましいが、第３者による提供内容の編集を望まない情報提供者からの提供内容は、編集を加えないようにするとよい。
【００５５】
音声合成手段２５は、提示情報を音声合成によってテキストから音声データに変換する。
【００５６】
出力順序変更手段２６は、操作手段１４によって利用者が入力した優先順位にしたがって、提示情報の出力順序を変更する。また、位置検出手段５３によって検出された位置情報、方位検出手段５４によって検出された方位情報、および、車速検出手段５５によって検出された車速情報に基づいて、提示情報の出力順序を変更する。
【００５７】
出力時機判定手段２７は、利用者に提示する提示情報の出力時機を判定する。
【００５８】
具体的には、音楽再生手段５１で曲が再生中であるか否かを判定し、曲間、すなわち音楽の再生が停止しているときに提示情報を出力すると判定する。
【００５９】
また、利用者が会話中であるか否かを判定し、会話が停止しているときに提示情報を出力すると判定する。例えば、会話中検出手段５２がマイクからなり、マイクで検出した音圧レベルによって会話中であるか否かを判定する。さらに特定の利用者の会話であるか否かを検出するようにしてもよい。
【００６０】
また、車速検出手段５５によって検出された車速が一定であるか否かを判定し、車速がほぼ一定のときに提示情報を出力すると判定する。あるいは、車が所定値以上の加速または減速をしているとき提示情報を停止すると判断するようにしてもよい。
【００６１】
また、方位検出手段５４によって検出された方位および位置検出手段５３によって検出された位置によって車両の進行方向が切り換わるか否かを判定し、車両の進行方向が切り換わるときは提示情報の出力を停止すると判定する。なお、方位検出手段５４は、車両の方向を右または左に切り換えることを指示する方向指示器であってもよく、この方向指示器が動作しているときに提示情報の出力を停止するようにしてもよい。
【００６２】
次に、本実施の形態における情報提示装置１０１の動作について説明する。
【００６３】
図３は、放送受信手段１１によって受信された道路交通情報の例を示す。図３の道路交通情報は、第１次提供者が“Ａ”であり、第２次提供者が“Ｂ”であり、時刻情報が“１２時１５分現在”である。
【００６４】
放送受信手段１１によって受信された道路交通情報は、記憶手段１５によって蓄積される。選択手段２１によって放送受信手段１１が選択されているとき、検索手段２２は、放送受信手段１１によって入力され、記憶手段１５によって蓄積された情報を、検索条件に従って検索する。検索手段２２は、検索条件が特定の道路の道路交通情報であったとき、例えば図３の道路交通情報を検索結果として抽出手段２３に入力する。
【００６５】
抽出手段２３は、第１次提供者情報として“Ａ”を、第２次提供者情報として“Ｂ”を、時刻情報として“１２時１５分現在”を抽出する。具体的には、例えば、“提供”というワードを含む行を抽出するとともに、記憶手段１５に予め記憶された提供者の名称が行に含まれているか否かを判定する。記憶手段１５に第１次提供者として“Ａ”が、第２次提供者として“Ｂ”が記憶されていた場合、検索された入力情報の第１次提供者が“Ａ”であり、第２次提供者が“Ｂ”であることを検出する。なお、検索された入力情報のみでは情報提供者を検出することが困難である場合には、入力情報以外の情報を併せて参照するようにしてもよい。例えば、放送であれば、放送のチャンネルを併せて参照し、情報提供者を判定するようにすると、信頼性が向上するので、好ましい。また、例えば、インターネットからの入力情報であればＵＲＬ（Uniform Resource Locator）を併せて参照するようにすると、信頼性が向上するので、好ましい。
【００６６】
図４は、テキスト合成手段２４によって合成された道路交通情報の第１の例を示す。図４の情報は、第１次提供者情報、第２次提供者情報、および、時刻情報が先頭から順に配置され、続いて放送受信手段１１によって受信された情報（“道路交通情報”から“Ｂの製品ＢＢは好評発売中”まで）が編集を加えられることなく配置されたテキストの提示情報である。合成されたテキストの提示情報は、音声合成手段２５によって音声データの提示情報に変換され、音声出力手段１６によって音声で出力される。利用者は、第１次提供者情報、第２次提供者情報、時刻情報、提供内容の順に情報を聴くことができ、情報の信頼性を確認した後に提供内容を聴くことができる。なお、利用者が第１次提供者情報、第２次提供者情報、および、時刻情報のいずれかを聴き、必要がない情報であると判断し、操作手段１４によって情報の出力の停止、または、次の情報への先送りの指示をした場合、情報の出力の停止、または、次の情報への先送りをするようにしてもよい。
【００６７】
図５は、テキスト合成手段２４によって合成された道路交通情報の第２の例を示す。図５の情報は、第１次提供者情報、第２次提供者情報、時刻情報、および、提供内容が編集されたことを示す情報が先頭から順に配置され、続いて放送受信手段１１によって受信された道路交通情報（“道路交通情報”から“Ｂの製品ＢＢは好評発売中”まで）が編集を加えられて配置されたテキストの提示情報である。また、図５の情報は、位置検出手段５３が検出した位置情報、方位検出手段５４が検出した方位情報、および、車速検出手段５５が検出した車速情報に基づいて、利用者が必要とする部分（第３の地点以降の情報）のみを提供内容として抽出した場合を示す。テキスト合成手段２４によって合成されたテキストの提示情報は、音声合成手段２５によって音声データの提示情報に変換され、音声出力手段１６によって音声で出力される。利用者は、第１次提供者情報、第２次提供者情報、時刻情報、提供内容が編集されたことを示す情報、編集された提供内容の順に情報を聴くことができ、情報の信頼性を確認した後に提供内容を聴くことができるとともに、必要な部分のみを聴くことができる。
【００６８】
なお、図４に示すような編集を加えない提供内容を利用者に提示するか、または、図５に示すような編集を加えた提供内容を利用者に提示するかは、利用者が操作手段１４を操作し、選択するようにしてもよい。
【００６９】
図６は、放送受信手段１１によって受信された天気情報の例を示す。図６の天気情報は、第１次提供者が“Ａ”であり、第２次提供者が“Ｂ”であり、時刻情報が“午前９時”“発表”である。
【００７０】
放送受信手段１１によって受信された天気情報は、記憶手段１５によって蓄積される。選択手段２１によって放送受信手段１１が選択されているとき、検索手段２２は、放送受信手段１１によって入力され、記憶手段１５によって蓄積された情報を、検索条件に従って検索する。検索手段２２は、検索条件が特定の日の天気情報であったとき、例えば図６の天気情報を検索結果として抽出手段２３に入力する。抽出手段２３は、第１次提供者情報として“Ａ”を、第２次提供者情報として“Ｂ”を、時刻情報として“午前９時”“発表”を抽出する。
【００７１】
図７は、テキスト合成手段２４によって合成された天気情報の例を示す。図７の情報は、第１次提供者情報、第２次提供者情報、時刻情報、および、提供内容が編集されたことを示す情報が先頭から順に配置され、続いて放送受信手段１１によって受信された天気情報（“天気予報”から“Ｂの製品ＢＢは好評発売中”まで）が編集を加えられて配置されたテキストの提示情報である。また、図７の情報は、位置検出手段５３が検出した位置情報、方位検出手段５４が検出した方位情報、および、車速検出手段５５が検出した車速情報に基づいて、利用者が必要とする部分（第４の地域、第５の地域、および、第６の地域に関係する情報）のみを提示内容として抽出した場合を示す。テキスト合成手段２４によって合成されたテキストの提示情報は、音声合成手段２５によって音声データの提示情報に変換され、音声出力手段１６によって音声で出力される。利用者は、第１次提供者情報、第２次提供者情報、時刻情報、提供内容が編集されたことを示す情報、編集された提供内容の順に情報を聴くことができ、情報の信頼性を確認した後に提供内容を聴くことができるとともに、必要な部分のみを聴くことができる。
【００７２】
なお、図７に示すような編集を加えた提供内容を利用者に提示するか否かは、利用者が操作手段１４を操作し、選択するようにしてもよい。
【００７３】
図８は、ネットワークインタフェース１２によって取得された天気情報の例を示す。図８の天気情報は、第１次提供者が“Ａ”であり、第２次提供者が“Ｂ”であり、時刻情報が“午前９時”“発表”である。
【００７４】
選択手段２１によってネットワークインタフェース１２が選択されているとき、検索手段２２は、ネットワークインタフェース１２によって入力された情報を、検索条件に従って検索する。検索手段２２は、検索条件が特定の日の天気情報であったとき、例えば図８の天気情報を検索結果として抽出手段２３に入力する。抽出手段２３は、第１次提供者情報として“Ａ”を、第２次提供者情報として“Ｂ”を、時刻情報として“午前９時”“発表”を抽出する。
【００７５】
なお、図８に示す天気情報は、第２次提供者情報“Ｂ”が画像８１０である。また、提供内容に画像（例えば晴れを示す画像８２１）が含まれる。ネットワークインタフェース１２によって入力された情報に画像が含まれていたとき、抽出手段２３は、予め記憶手段１５に記憶された画像と比較し、記憶手段１５に記憶された画像と一致した場合、テキスト合成手段２４は、画像をテキストに変換する。具体的には、図２の画像判別手段２３４において、画像抽出手段２３４１が画像を抽出し、画像正規化手段２３４２が画像の高さおよび幅を一定の高さおよび幅に正規化し、色除去手段２３４３が画像の色を明度に変換して色を除去した後、画像比較手段２３４４が画像を比較する。
【００７６】
図７は、テキスト合成手段２４によって合成された天気情報の例を示す。図７の情報は、第１次提供者情報、第２次提供者情報、時刻情報、および、提供内容が編集されたことを示す情報が先頭から順に配置され、続いてネットワークインタフェース１２によって受信された天気情報（“天気予報”から“Ｂの製品ＢＢは好評発売中”まで）が編集を加えられて配置されたテキストの提示情報である。また、図７の情報は、位置検出手段５３が検出した位置情報、方位検出手段５４が検出した方位情報、および、車速検出手段５５が検出した車速情報に基づいて、利用者が必要とする部分（第４の地域、第５の地域、および、第６の地域に関係する情報）のみを提示内容として抽出した場合を示す。テキスト合成手段２４によって合成されたテキストの提示情報は、音声合成手段２５によって音声データの提示情報に変換され、音声出力手段１６によって音声で出力される。利用者は、第１次提供者情報、第２次提供者情報、時刻情報、提供内容が編集されたことを示す情報、編集された提供内容の順に情報を聴くことができ、情報の信頼性を確認した後に提供内容を聴くことができるとともに、必要な部分のみを聴くことができる。また、入力情報に画像が含まれていた場合であっても、音声で聴くことができる。
【００７７】
以上のように、本実施の形態の情報提示装置１０１は、情報提供者からの情報が入力される入力手段（放送受信手段１１、ネットワークインタフェース１２、および、データベースインタフェース１３）と、入力された情報から情報提供者を示す提供者情報を抽出する抽出手段２３と、提供者情報と提供内容とを区別して出力する音声出力手段１６とを備えたので、利用者は、提供者情報を確認し、情報の信頼性を確認することができる。
【００７８】
また、本実施の形態の情報提示装置１０１は、情報提供者からの提供内容より前に提供者情報を配置するテキスト合成手段２４を備え、音声出力手段１６が、提供者情報を提供内容より時間的に先に出力するようにしたので、利用者は、提供者情報を先に確認し、必要な提供内容のみを選択することができる。
【００７９】
また、本実施の形態の情報提示装置１０１は、抽出手段２３が、提供内容を生成した情報提供者を示す第１次提供者情報と、提供内容を利用者に配布する情報提供者を示す第２次提供者情報とを区別して抽出し、音声出力手段１６が、第１次提供者情報と第２次提供者情報とを区別して出力するようにしたので、利用者は、第１次情報提供者または第２次情報提供者を区別して情報の信頼性を確認することができる。
【００８０】
また、本実施の形態の情報提示装置１０１は、抽出手段２３が、入力された情報から時刻情報を抽出し、音声出力手段１６が、時刻情報を提供内容と区別して出力するようにしたので、利用者は時刻情報によって情報の信頼性を確認することができる。
【００８１】
また、本実施の形態の情報提示装置１０１は、入力手段（放送受信手段１１、ネットワークインタフェース１２、および、データベースインタフェース１３）を選択する選択手段２１を備えたので、例えば、ネットワーク６２が通信料を必要とするような場合はネットワーク６２を利用しないようにして、料金を必要とする入力手段を回避し、料金を払わないようにすることができる。
【００８２】
また、本実施の形態の情報提示装置１０１は、少なくとも現在位置、進行方向および目的位置のいずれかに関係した情報を検索する検索手段２２を備え、音声出力手段１６は、少なくとも現在位置、進行方向および目的位置のいずれかに対応した情報を出力するようになっているので、利用者は、必要とする情報のみを得ることができる。
【００８３】
また、本実施の形態の情報提示装置１０１は、提供者情報が画像であったとき、テキスト合成手段２４が、画像を文字情報に変換するようになっているので、利用者は、提供者情報が画像であっても提供者を確認することができる。
【００８４】
また、本実施の形態の情報提示装置１０１は、音楽が再生中であるか否かを判定し、再生が停止しているときに提示情報を出力すると判定する出力時機判定手段２７を備えているので、利用者は、音楽を楽しんでいるときは音楽のみを楽しみ、音楽を聴いていないときに情報を得ることができる。
【００８５】
また、本実施の形態の情報提示装置１０１は、情報提示装置１０１が載置された車両の速さが一定であるか否かを判定し、車両が加速または減速しているときに提示情報の出力を停止すると判定する出力時機判定手段２７を備えているので、利用者は、運転に注意すべき時に提示情報に注意を奪われることがないようにすることができる。
【００８６】
また、本実施の形態の情報提示装置１０１は、情報提示装置１０１が載置された車両の進行方向が切り換わるか否かを判定し、進行方向が切り換わるときに提示情報の出力を停止すると判定する出力時機判定手段２７を備えているので、利用者は、運転に注意すべき時に提示情報に注意を奪われることがないようにすることができる。
【００８７】
また、本実施の形態の情報提示装置１０１は、利用者が会話中であるか否かを判定し、会話が停止しているときに提示情報を出力すると判定する出力時機判定手段２７を備えているので、利用者が同乗者と会話を楽しんでいるときは会話を楽しみ、会話をしていないときに情報を得ることができる。
【００８８】
また、本実施の形態の情報提示装置１０１は、利用者によって入力された情報提供者の優先順位に基づいて提示情報の出力順序を変更する出力順序変更手段２６を備えているので、利用者は、必要性が高い順に情報を得ることができる。
【００８９】
（第２の実施の形態）
図９は本発明に係る情報提示装置の第２の実施の形態を示すブロック図である。なお、図１に示す第１の実施の形態と同じ構成要件は、同じ符号としてあり、第１の実施の形態において説明したので詳細な説明を省略する。
【００９０】
本実施の形態の情報提示装置１０２は、図１に示す第１の実施の形態の情報提示装置１０１と異なり、制御手段２０２が、同じ検索条件に合致する入力情報を繰り返し検索する検索手段３２と、今回検索した入力情報と前回検索した入力情報とを比較して、検索された入力情報が更新されたことを検出する情報更新検出手段３８とを有する。具体的には、検索手段３２が、同じ検索条件で一定時間毎に入力情報を検索し、検索条件に合致した入力情報を記憶手段１５に格納する。また、情報更新検出手段３８は、記憶手段１５によって記憶された入力情報を前回検索時と今回検索時とで比較することにより、検索手段３２によって検索された入力情報が更新されたか否かを検出する。情報更新検出手段３８によって情報更新が検出された入力情報は、抽出手段２３、テキスト合成手段２４、および、音声合成手段２５を介し、提供者情報と時刻情報と更新された提供内容とが区別された音声の提示情報として音声出力手段１６から出力される。
【００９１】
なお、情報更新検出手段３８は、検索手段３２によって検索された入力情報の全体を前回と今回とで比較するようにしてもよいが、検索手段３２によって検索された後に抽出手段２３によって抽出された提供内容を前回と今回とで比較するようにしてもよい。以下に、提供内容を比較する例について、具体的に説明する。図１０は、抽出手段２３によって抽出された時刻情報と提供内容である地域毎の予想天気とを記憶手段１５に蓄積した情報の例を示す。図１０に示すように、抽出手段２３によって抽出された時刻情報である天気予報の発表時刻（９：００、１０：００、１１：００、１２：００等）と、抽出手段２３によって抽出された発表時刻毎の予想天気（晴れ、晴れ時々曇り、曇り等）とが同じく抽出手段２３によって抽出された地域情報（第１の地域、第２の地域、第３の地域等）と対応付けされて、記憶手段１５に記憶される。情報更新検出手段３８は、注目する地域の予想天気を前回と今回とで比較し、注目する地域の予想天気が異なる場合のみ、テキスト合成され、音声合成され、音声出力手段１６によって音声で提示情報が出力される。例えば、位置検出手段５３によって検出された現在位置が“第２の地域”である場合、情報更新検出手段３８は“１２：００”発表の入力情報において、現在位置である“第２の地域”の予想天気が更新されたことを検出する。したがって、注目する“第２の地域”を少なくとも含む地域の予想天気が、情報提供者と時刻情報と区別されて、利用者に音声で提示される。
【００９２】
なお、入力情報は、天気情報に限らず、道路交通情報、特売情報、株式情報、占い、その他どのような入力情報であってもよく、また、どのような検索条件で検索し情報更新を検出するようにしてもよく、また、どのような項目で提供内容を抽出し情報更新を検出するようにしてもよい。
【００９３】
以上のように、本実施の形態の情報提示装置１０２は、同じ検索条件に合致する入力情報を繰り返し検索する検索手段３２と、検索された入力情報が更新されたことを検出する情報更新検出手段３８とを備え、音声出力手段１６は、入力情報が更新されたときに情報を出力するようになっているので、利用者は更新された情報のみ取得することができる。
【００９４】
また、注目する抽出項目のみ前回と今回とで比較して情報更新を検出するようにした場合、利用者は注目する抽出項目が更新された場合のみ情報を取得することができる。
【００９５】
（第３の実施の形態）
図１１は本発明に係る情報提示装置の第３の実施の形態を示すブロック図である。なお、図１に示す第１の実施の形態と同じ構成要件は、同じ符号としてあり、第１の実施の形態において説明したので詳細な説明を省略する。
【００９６】
本実施の形態の情報提示装置１０３は、第１の実施の形態における情報提示装置１０１と異なり、抽出手段４３は、提供者情報や時刻情報を抽出するのみでなく、検索された入力情報の中から予め記憶手段１５に記憶されたキーワードを抽出し、出力順序変更手段４６は、特定の情報提供者の入力情報から抽出されたキーワードと同じキーワードが、他の情報提供者の入力情報を含む同じ検索条件に合致した入力情報から抽出された数に基づいて、テキスト合成された提示情報の出力順序を変更するようになっている。
【００９７】
例えば、特定の日の天気情報を検索条件として入力情報を検索し、図６に示すような第１次提供者が“Ａ”で第２次提供者が“Ｂ”の天気情報が検索されたとき、現在位置が第１の地域であって“第１の地域”を注目している場合であれば、図１２に示すキーワード比較手段４３５によって、“第１の地域”の予想天気が、記憶手段１５に記憶されたキーワードと比較される。記憶手段１５には、“晴れ”、“曇り”、“曇り”、“雨”等のキーワードが予め記憶されており、図６に示す天気情報の場合、抽出手段４３は、“第１の地域”として“晴れ”を抽出する。出力順序変更手段４６は、第１次提供者“Ａ”および第２次提供者“Ｂ”以外の情報提供者からの入力情報から抽出された“第１の地域”のキーワードのそれぞれの数を比較する。例えば、他の情報提供者からの“第１の地域”に“晴れ”が最も多く、次に“曇り”が多かった場合、図６に示す天気情報から生成した提示情報の出力順序を“曇り”が検出された天気情報から生成した提示情報より先にする。また、例えば、他の情報提供者からの“第１の地域”に“曇り”が最も多く３個であり、“晴れ”が少なく１個であった場合、図６に示す天気情報から生成した提示情報の出力順序を“曇り”が検出された天気情報から生成した提示情報より後にする。
【００９８】
以上のように、本実施の形態の情報提示装置１０３は、複数の情報提供者からの入力情報から生成したそれぞれの提示情報の出力順序を変更する出力順序変更手段４６を備え、抽出手段４３は、予め記憶されたキーワードを複数の検索された入力情報から検出し、出力順序変更手段４６は、同じキーワードが検出された数が多い順に複数の提示情報の出力順序を変更するようになっているので、利用者は、信頼性が高い順に提示情報を聴くことができる。
【００９９】
なお、前述した各実施の形態において、入力された情報から第１次提供者情報と第２次提供者情報とを区別して抽出し、第１次提供者情報と第２次提供者情報とを区別して音声出力するよう構成したので、利用者は、提供内容を生成した提供者（第１次提供者）または提供内容を配布した提供者（第２次提供者）の両方によって、信頼できる提供者からの情報であることを確認することができるが、本発明はこれに限るものではなく、第１次提供者情報のみを抽出して音声出力するようになっていてもよく、また、第２次提供者情報のみを抽出して音声出力するようになっていてもよい。また、第１次提供者と第２次提供者情報とを区別して抽出し音声出力する方が好ましいが、第１次提供者情報と第２次提供者情報とを区別しないで抽出し音声出力するようになっていてもよい。
【０１００】
また、前述した各実施の形態において、第２次提供者は、広告を出すスポンサを例に説明したが、第２次提供者はスポンサに限らず、放送事業者、その他の情報を配布するどのような情報提供者であってもよい。また、第２次提供者が第１次提供者と同一であり、提供内容を生成した者が直接提供内容を配布する場合であってもよい。
【０１０１】
また、前述した各実施の形態において、利用者からの指示を操作手段１４が受け付けるよう構成したが、マイクによって音声で利用者からの条件や指示が入力されるよう構成してもよい。
【０１０２】
また、前述した各実施の形態において、音楽を再生する音楽再生手段５１で音楽が再生中か否かに基づいて提示情報の出力時機を判定するよう構成したが、映像および音声を再生する映像音声再生手段（図示を省略する）が映像および音声を再生中か否かに基づいて提示情報の出力時機を判定するよう構成してもよい。
【０１０３】
また、前述した各実施の形態において、情報提示装置が車両に載置された例について説明したが、本発明の情報提示装置は車両に載置されるものに限らず、その他の移動体に載置されるものであってもよく、人が携帯するものであってもよく、また、住居内等に設置する場合であってもよい。
【０１０４】
【発明の効果】
本発明は、利用者が情報の信頼性を確認することができるという優れた効果を有する情報提示装置を提供する。
【図面の簡単な説明】
【図１】本発明に係る第１の実施の形態の情報提示装置を示すブロック図
【図２】本発明に係る第１の実施の形態の情報提示装置における抽出手段の詳細を示すブロック図
【図３】本発明に係る第１の実施の形態の情報提示装置における入力した道路交通情報の例を示す説明図
【図４】本発明に係る第１の実施の形態の情報提示装置における提示する道路交通情報の第１の例を示す説明図
【図５】本発明に係る第１の実施の形態の情報提示装置における提示する道路交通情報の第２の例を示す説明図
【図６】本発明に係る第１の実施の形態の情報提示装置における入力した天気情報の第１の例を示す説明図
【図７】本発明に係る第１の実施の形態の情報提示装置における提示する天気情報の例を示す説明図
【図８】本発明に係る第１の実施の形態の情報提示装置における入力した天気情報の第２の例を示す説明図
【図９】本発明に係る情報提示装置の第２の実施の形態を示すブロック図
【図１０】本発明に係る情報提示装置の第３の実施の形態における天気情報の更新を検出するための情報を示す説明図
【図１１】本発明に係る情報提示装置の第３の実施の形態を示すブロック図
【図１２】本発明に係る第３の実施の形態の情報提示装置における抽出手段の詳細を示すブロック図
【符号の説明】
１１  放送受信手段（第１の入力手段）
１２  ネットワークインタフェース（第２の入力手段）
１３  データベースインタフェース（第３の入力手段）
１４  操作手段
１５  記憶手段
１６  音声出力手段
２０１、２０２、２０３  制御手段
２１  選択手段
２２、３２  検索手段
２３、４３  抽出手段
２４  テキスト合成手段（編集手段）
２５  音声合成手段
２６、４６  出力順序変更手段
２７  出力時機判定手段
３８  情報更新検出手段
５１  音楽再生手段
５２  会話中検出手段
５３  位置検出手段
５４  方位検出手段
５５  車速検出手段
【図１】
0003995930.tif 000002
【図２】
0003995930.tif 000003
【図３】
0003995930.tif 000004
【図４】
0003995930.tif 000005
【図５】
0003995930.tif 000006
【図６】
0003995930.tif 000007
【図７】
0003995930.tif 000008
【図８】
0003995930.tif 000009
【図９】
0003995930.tif 000010
【図１０】
0003995930.tif 000011
【図１１】
0003995930.tif 000012
【図１２】
0003995930.tif 000013